(57)【要約】【課題】記憶媒体収納位置から搬送する搬送トレイの横振れなどを抑えて品質の向上を図る。【解決手段】記憶媒体たるディスクを載置して搬送する搬送トレイ３と、この搬送トレイ３を組み付けた本体フレーム２とを備えた記録再生装置１において、本体フレーム２に磁石２０を設け、搬送トレイ３に磁石２０との間で吸引力を発生させる磁性体２１を取り付ける。磁石２０と磁性体２１とが磁力により相互に吸引するので、本体フレーム２に搬送トレイ３を磁力で付勢させた状態で搬送することができ、搬送トレイ３が横振れしないように抑えることができる。【選択図】図３
2007207323.tif 000002
【特許請求の範囲】
【請求項１】
記憶媒体を載置して搬送する搬送トレイと、この搬送トレイを組み付けた本体フレームとを備えた記録再生装置において、前記本体フレーム又は前記搬送トレイの何れか一方に磁石を取り付けると共に、この磁石を取り付けていない他方の前記搬送トレイ又は前記本体フレームに前記磁石と吸引される磁石若しくは磁性体を設けたことを特徴とする搬送トレイを備えた記録再生装置。
【請求項２】
記憶媒体を載置して搬送する搬送トレイと、この搬送トレイを組み付けた本体フレームとを備えた記録再生装置において、本体フレームに磁石を設け、前記搬送トレイに前記磁石との間で吸引力を発生させる磁性体を取り付けたことを特徴とする搬送トレイを備えた記録再生装置。
【請求項３】
記憶媒体を載置して搬送する搬送トレイと、この搬送トレイを組み付けた本体フレームとを備えた記録再生装置において、本体フレームに磁性体を設け、前記搬送トレイに前記磁性体との間で吸引力を発生させる磁石を取り付けたことを特徴とする搬送トレイを備えた記録再生装置。
【請求項４】
前記磁性体と磁石或いは磁石と磁石との吸引力は、搬送トレイが搬送している状態で常に発生する位置に配設したことを特徴とする請求項１〜３の何れか１項に記載の搬送トレイを備えた記録再生装置。
【請求項５】
前記磁性体と磁石或いは磁石と磁石との吸引力を、前記搬送トレイの所定の停止位置で最大になるように前記磁性体と磁石或いは磁石と磁石とを配設したことを特徴とする請求項１〜４の何れか１項に記載の搬送トレイを備えた記録再生装置。
【請求項６】
前記磁性体と磁石或いは磁石と磁石との吸引力を、前記搬送トレイが搬出完了の所定の停止位置で最大になるように前記磁性体と磁石或いは磁石と磁石とを配設したことを特徴とする請求項１〜４の何れか１項に記載の搬送トレイを備えた記録再生装置。
【発明の詳細な説明】
【技術分野】
【０００１】
本発明は、ＣＤやＤＶＤなどの記憶媒体を装置の内外に搬送する搬送トレイを備えた記録再生装置に関し、特に、搬送トレイの収納位置から記憶媒体の交換位置への搬出移動が完了する際などの停止時に、搬送トレイが振れることを抑えた搬送トレイを備えた記録再生装置に関する。
【背景技術】
【０００２】
従来から、ＣＤなどのディスクの記録再生を行う記録再生装置においては、その記録再生装置のフレームの外側に搬出されたトレイにディスクを載置させ、その載置されたディスクが記録再生装置の内外に搬送する構造が開示されている。このような記録再生装置１００のトレイの構造について図９に基づき説明すると、外観を担う部品となる記録再生装置１００のフレーム１０１に形成した凸部１０２とトレイ１０３の両側の底面に形成した凹状のレール１０４とを摺動自在に遊嵌させ、フレーム１０１に対してトレイ１０３はフレーム１０１から外れることがないようにその搬送方向（図９に示す上下方向）に摺動可能に組み付けられている。前記フレーム１０１の前方側にはストッパーが設けられており、トレイ１０３が搬出された記憶媒体交換位置でトレイ１０３の後端部側がストッパーに当接され、トレイ１０３はフレーム１０１から離脱しないように構成されている。また、トレイ１０３の底面部には搬送方向とほぼ同方向にラック１０５が延設されている。そして、フレーム１０１には前記トレイ１０３のラック１０５と噛合するピニオンギア１０６を備え、このピニオンギア１０６に動力を伝達する複数のギアやプーリ等により構成した駆動伝達機構１０７を介して、前記ピニオンギア１０６を回転させるための駆動モータ１０８がフレーム１０１に取り付けられている。そして、駆動モータ１０８の回転に伴って駆動伝達機構１０７を介してピニオンギア１０６が回転されると、ピニオンギア１０６と噛合するラック１０５が移動し、フレーム１０１に対してトレイ１０３の搬入移動及び搬出移動が行われる。
【０００３】
上述した従来技術に関連するものとして、特許文献１にはトレイがディスク交換位置に移動したときに、がたつかないようにトレイの後端部を保持機構で係合するディスク装置が開示されている。また、特許文献２には、トレイが記録再生装置から出し入れする際、外枠の外側壁凹部にトレイの摺動面に備えた弾性部材の突起部を係合させ、トレイの横振れを軽減するローディング装置が開示されている。
【０００４】
【特許文献１】特開２００３−６９７１号公報
【特許文献２】特開２００３−１６７１２号公報
【発明の開示】
【発明が解決しようとする課題】
【０００５】
前記特許文献１及び特許文献２では、トレイの停止時などにこのトレイを係合することによって保持し、がたつきや横振れしないようにトレイを保持することは可能ではあるが、トレイは繰り返し搬送されることでトレイを係合する部分が磨耗や劣化することは避けることができず、繰り返しトレイが搬送されることによって係合する部分が磨耗などしてしまい、トレイのがたつきを抑えることができなくなってしまう虞がある。
【０００６】
また、図９に示したトレイ１０３を円滑に搬送するには次の点に注意する必要がある。第一に、フレーム１０１に対してトレイ１０３を摺動可能に取り付けるため、トレイ１０３のレール１０４とフレーム１０１の凸部１０２との間などに僅かな隙間を設けなければいけない。すなわち、トレイ１０３は凸部１０２とレール１０４とが遊嵌した状態で搬送方向（図９に示す上下方向）に移動可能に構成する必要があり、レール１０４と凸部１０２との間に隙間がない場合は、前記フレーム１０１に対してトレイ１０３を取り付けることができなくなったり、或いは強制的にトレイ１０３の取り付けを行ったとしても、隙間がない状態では、トレイ１０３の搬送動作が円滑に行えなくなり、レール１０４と凸部１０２との間で摩擦や磨耗が生じ、摩擦に伴う異音や磨耗による粉塵の発生などの不具合を招いてしまう。
【０００７】
第二に、ピニオンギア１０６とラック１０５との歯面間の遊びによるバックラッシの影響により、レール１０４と凸部１０２との間の隙間が極端に変化することが無いよう、フレーム１０１に対してトレイ１０３の取り付け位置を定める必要があるため、トレイ１０３の両側部に設けるレール１０４の一方における凸部１０２とレール１０４との隙間を極力抑え、また、トレイ１０３の成形誤差を考慮して、フレーム１０１に対しトレイ１０３が取り付け出来ない等の不具合が生じないよう他方における凸部１０２とレール１０４との隙間は大きくする必要がある。すなわち、トレイ１０３に形成するレール１０４の一方側の内側内面壁と、これと当接する凸部１０２との位置を基準とし、前記内側内面壁に近い前記レール１０４の外側内面壁は寸法誤差の影響が小さいことから、前記レール１０４と前記凸部１０２との隙間（ここで述べる隙間とは、凸部１０２にレール１０４を遊嵌した状態における双方の間で形成される空間を意味する）を極力小さくすることができる。そして他方側のレール１０４は基準となる一方側のレール１０４の内側内面壁からトレイ１０３のおよそ幅寸法の分だけ離れた位置に形成することから寸法誤差の影響が大きくなるため、対向する凸部１０２との間で十分な隙間がとれるように形成するのが一般的である。そして、トレイ１０３の一方側に形成するレール１０４と凸部１０２との隙間を小さくすることで、前記トレイ１０３に形成するラック１０５とピニオンギア１０６との間におけるバックラッシをほぼ一定とすることができる。もしも一方側のレール１０４と凸部１０２との隙間を他方側のレール１０４と凸部１０２との隙間と同様に大きく形成すれば、ピニオンギア１０６の回転力によってトレイ１０３が隙間の範囲内で回動し、ラック１０５とピニオンギア１０６との間におけるバックラッシが不安定となり、極論で述べれば前記トレイ１０３を搬送する際に前記ラック１０５と前記ピニオンギア１０６との噛合が外れて歯飛びや空転が生じたり、或いは歯飛び又は空転が生じなくても前記ラック１０５と前記ピニオンギア１０６との噛合する位置が逐次変化することで夫々の歯に負荷が蓄積し、歯の欠損やそれによるトレイ１０３の搬送動作への影響が懸念される。
【０００８】
第三に、トレイ１０３の搬送時における捩れなどの変形の要因を解消するため、トレイ１０３の底面に形成するラック１０５に近いレール１０４とフレーム１０１の凸部１０２との隙間を極力抑え、他方のレール１０４と凸部１０２との隙間を大きくしなければならない。すなわち、ラック１０５に近いレール１０４と凸部１０２との隙間を小さくすることにより、回転駆動力によるトレイ１０３の捩れなどの変形が生じることなく前記トレイ１０３の搬送を円滑に行うことができる。仮にラック１０５から離れたレール１０４と凸部１０２との隙間を小さくして前記ラック１０５に近いレール１０４と凸部１０２との隙間を大きくした場合、前記レール１０４と凸部１０２とが当接する基準となる位置が前記ラック１０５とピニオンギア１０６から離れた位置となることから、トレイ１０３を搬送するために前記ラック１０５と噛合する前記ピニオンギア１０６が、駆動モータ１０８の駆動力に伴って回転し、このピニオンギア１０６の回転力がラック１０５に伝達するとともに基準となるレール１０４と凸部１０２との当接部分を支点としてトレイ１０３が回動する力が働き、この力が搬送するトレイ１０３の捩れの要因となる。前記捩れ力の発生により、トレイ１０３の搬送動作は不安定なものとなってしまい、ラック１０５とピニオンギア１０６との間における歯飛び、空転、及び破損を引き起こす懸念がある。
【０００９】
さらに図９に示した構造においては、トレイ１０３が記憶媒体交換位置とする搬出移動が完了した際、隙間やトレイ１０３等の捩れなどが原因で、このトレイ１０３が横方向へ振れてしまうので、記録再生装置１００の品位を低下させる原因となる。また、その他の原因として、記憶媒体収納位置から搬出移動するトレイ１０３を駆動する駆動モータ１０８の回転は、短時間で停止させるために、停止寸前で駆動モータの回転を逆回転させるいわゆる逆転ブレーキを用いるので、逆転ブレーキの反動によるフレーム１０１の振れと、前述した隙間によって、特に記憶媒体交換位置へのトレイ１０３の搬出完了時におけるトレイ１０３の横方向への振れが大きく発生してしまう。また、トレイ１０３は一般には合成樹脂により成形されており、少なくともトレイ１０３に記憶媒体を載置可能な程度の大きさを要することから、トレイ１０３の反りなどによる変形が懸念される。特に反りの影響はトレイ１０３の搬送時における振れや搬送が円滑に行われなくなるといった影響を与える虞がある。
【００１０】
本案件は上述した問題点に鑑みてなされたものであり、記憶媒体収納位置から搬送する搬送トレイの横振れなどを抑えて品質の向上を図り、また、搬送トレイの強度を向上して前記搬送トレイの反り防止を可能とした搬送トレイを備えた記録再生装置を提供することを目的とする。
【課題を解決するための手段】
【００１１】
本発明の請求項１の搬送トレイを備えた記録再生装置は、記憶媒体を載置して搬送する搬送トレイと、この搬送トレイを組み付けた本体フレームとを備えた記録再生装置において、前記本体フレーム又は前記搬送トレイの何れか一方に磁石を取り付けると共に、この磁石を取り付けていない他方の前記搬送トレイ又は前記本体フレームに前記磁石と吸引される磁石若しくは磁性体を設けたことを特徴とする。
【００１２】
本発明の請求項１の搬送トレイを備えた記録再生装置により、磁石と磁性体或いは磁石と磁石とが相互に磁力によって吸引されるので、本体フレームに組み付けた搬送トレイを磁石の吸引方向に付勢させた状態で搬送することができ、搬送トレイが振れることを抑えることができる。
【００１３】
本発明の請求項２の搬送トレイを備えた記録再生装置は、記憶媒体を載置して搬送する搬送トレイと、この搬送トレイを組み付けた本体フレームとを備えた記録再生装置において、本体フレームに磁石を設け、前記搬送トレイに前記磁石との間で吸引力を発生させる磁性体を取り付けたことを特徴とする。
【００１４】
請求項２の搬送トレイを備えた記録再生装置により、本体フレームの磁石に搬送トレイの磁性体を磁力によって吸引させ、本体フレームに組み付けた搬送トレイを磁石と磁性体との吸引方向に付勢させた状態で搬送することができるので、搬送トレイを振れないように抑えることができる。
【００１５】
本発明の請求項３の搬送トレイを備えた記録再生装置は、記憶媒体を載置して搬送する搬送トレイと、この搬送トレイを組み付けた本体フレームとを備えた記録再生装置において、本体フレームに磁性体を設け、前記搬送トレイに前記磁性体との間で吸引力を発生させる磁石を取り付けたことを特徴とする。
【００１６】
請求項３の搬送トレイを備えた記録再生装置により、本体フレームの磁性体に搬送トレイの磁石を磁力によって吸引させ、本体フレームに組み付けた搬送トレイを磁石と磁性体との吸引方向に付勢させた状態で搬送することができるので、搬送トレイを振れないように抑えることができる。
【００１７】
本発明の請求項４の搬送トレイを備えた記録再生装置は、請求項１〜３の何れか１項に記載の搬送トレイを備えた記録再生装置において、前記磁性体と磁石或いは磁石と磁石との吸引力は、搬送トレイが搬送している状態で常に発生する位置に配設したことを特徴とする。
【００１８】
請求項４の搬送トレイを備えた記録再生装置により、搬送トレイが搬送している状態で、常に本体フレームの磁性体或いは磁石に搬送トレイの磁石或いは磁性体が磁力によって吸引する。よって、搬送トレイを磁性体と磁石或いは磁石と磁石との吸引方向に付勢させた状態で常に搬送することができ、搬送トレイの振れを抑えることができる。
【００１９】
本発明の請求項５の搬送トレイを備えた記録再生装置は、請求項１〜４の何れか１項に記載の搬送トレイを備えた記録再生装置において、前記磁性体と磁石或いは磁石と磁石との吸引力を、前記搬送トレイの所定の停止位置で最大になるように前記磁性体と磁石或いは磁石と磁石とを配設したことを特徴とする。
【００２０】
請求項５の搬送トレイを備えた記録再生装置により、搬送トレイの停止位置で磁性体と磁石或いは磁石と磁石との吸引力が最大となることで、搬送トレイの停止時に伴う搬送トレイの振れを抑えることができる。
【００２１】
本発明の請求項６の搬送トレイを備えた記録再生装置は、請求項１〜４の何れか１項に記載の搬送トレイを備えた記録再生装置において、前記磁性体と磁石或いは磁石と磁石との吸引力を、前記搬送トレイが搬出完了の所定の停止位置で最大になるように前記磁性体と磁石或いは磁石と磁石とを配設したことを特徴とする。
【００２２】
請求項６の搬送トレイを備えた記録再生装置により、搬送トレイの搬出完了位置で磁性体と磁石或いは磁石と磁石との吸引力が最大となることで、搬送トレイの搬出完了時に伴う搬送トレイの振れを抑えることができる。
【発明の効果】
【００２３】
請求項１の搬送トレイを備えた記録再生装置によれば、記憶媒体を載置して搬送する搬送トレイと、この搬送トレイを組み付けた本体フレームとを備えた記録再生装置において、前記本体フレーム又は前記搬送トレイの何れか一方に磁石を取り付けると共に、この磁石を取り付けていない他方の前記搬送トレイ又は前記本体フレームに前記磁石に吸引される磁石若しくは磁性体を設けたので、本体フレームに組み付けた搬送トレイを磁石と磁性体或いは磁石と磁石との吸引方向に付勢させた状態で搬送することが可能となり、搬送トレイが横振れなどしないよう抑えることで記録再生装置の品質向上を図ることができる。
【００２４】
本発明の請求項２の搬送トレイを備えた記録再生装置は、記憶媒体を載置して搬送する搬送トレイと、この搬送トレイを組み付けた本体フレームとを備えた記録再生装置において、本体フレームに磁石を設け、前記搬送トレイに前記磁石との間で吸引力を発生させる磁性体を取り付けたので、本体フレームに組み付けた搬送トレイを磁石と磁性体との吸引方向に付勢させた状態で搬送することが可能となり、搬送トレイが横振れなどしないよう抑えることで記録再生装置の品質向上を図ることができる。
【００２５】
本発明の請求項３の搬送トレイを備えた記録再生装置は、記憶媒体を載置して搬送する搬送トレイと、この搬送トレイを組み付けた本体フレームとを備えた記録再生装置において、本体フレームに磁性体を設け、前記搬送トレイに前記磁性体との間で吸引力を発生させる磁石を取り付けたので、本体フレームに組み付けた搬送トレイを磁石と磁性体との吸引方向に付勢させた状態で搬送することが可能となり、搬送トレイが横振れなどしないよう抑えることで記録再生装置の品質向上を図ることができる。
【００２６】
本発明の請求項４の搬送トレイを備えた記録再生装置は、請求項１〜３の何れか１項に記載の搬送トレイを備えた記録再生装置において、前記磁性体と磁石或いは磁石と磁石との吸引力は、搬送トレイが搬送している状態で常に発生する位置に配設したので、搬送トレイが搬入及び搬出している搬送状態などであっても、搬送トレイを磁性体と磁石或いは磁石と磁石との吸引力で横振れなどしないよう抑えた品質向上を図った記録再生装置を提供することができる。
【００２７】
本発明の請求項５の搬送トレイを備えた記録再生装置は、請求項１〜４の何れか１項に記載の搬送トレイを備えた記録再生装置において、前記磁性体と磁石或いは磁石と磁石との吸引力を、前記搬送トレイの所定の停止位置で最大になるように前記磁性体と磁石或いは磁石と磁石とを配設したので、搬送トレイの停止時に伴う搬送トレイの振れを抑止した品質向上を図った記録再生装置を提供することができる。
【００２８】
本発明の請求項６の搬送トレイを備えた記録再生装置は、請求項１〜４の何れか１項に記載の搬送トレイを備えた記録再生装置において、前記磁性体と磁石或いは磁石と磁石との吸引力を、前記搬送トレイが搬出完了の所定の停止位置で最大になるように前記磁性体と磁石或いは磁石と磁石とを配設したので、搬送トレイの搬出完了時に伴う搬送トレイの振れを抑止した品質向上を図った記録再生装置を提供することができる。
【発明を実施するための最良の形態】
【００２９】
図１は搬送トレイを搬入した状態の記録再生装置を示す平面図、図２は搬送トレイを搬入した状態の記録再生装置を示す断面図、図３は搬送トレイを搬出した状態を示す記録再生装置の平面図、図４は搬送トレイを示す平面図、図５は搬送トレイを示す底面図、図６は搬送トレイを側面から視た状態を示す側面図、図７は搬送トレイを示す正面側断面図、図８は本体フレームを示す平面図である。以下、図１〜図８に基づき、本発明を実施するための最良の形態としての実施例を説明する。これらの図に示すように、記録再生装置１は、本体フレーム２にＣＤなどの記憶媒体たるディスクを載置する搬送トレイ３を備え、本体フレーム２に設けられた駆動源としての駆動モータの動力を駆動伝達機構を介して、搬送トレイ３が本体フレーム２の前後に搬入及び搬出されるようになっており、搬送トレイ３が本体フレーム２の最も前側に前進した状態、すなわち搬送トレイ３が本体フレーム２から搬出して停止した状態で、搬送トレイ３の載置部４にディスクを載置するものである。
【００３０】
本実施例における記録再生装置１は、図９で示した従来の記録再生装置と同様に、外観の構成部品となる記録再生装置１の本体フレーム２に形成した凸部１０と搬送トレイ３の両側に形成した凹状のレール１１とを摺動自在に遊嵌させ、搬送トレイ３は本体フレーム２から外れることがないようにその搬送方向に摺動しながら移動可能に組み付けられている。
【００３１】
また、前記本体フレーム２の前方側には図示しないストッパーを設けており、搬送トレイ３が最も前側に搬出した搬送トレイ３の停止位置としての記憶媒体交換位置（図３に示す状態）で、搬送トレイ３の後端部がストッパーに当接し停止するので、前述したように搬送トレイ３は本体フレーム２から外れないように構成されている。
【００３２】
搬送トレイ３の底面部には搬送方向とほぼ同方向にラック１２を延設しており、このラック１２と噛合するピニオンギア１３が本体フレームに備えてある。なお、ピニオンギア１３には駆動モータ１４からの動力を駆動伝達機構１５たるギアやプーリ等を介して伝達し、駆動モータ１４の回転に伴って駆動伝達機構１５を介してピニオンギア１３が回転すると、ピニオンギア１３と噛合されたラック１２が移動して、本体フレーム２に対する搬送トレイ３の搬入移動及び搬出移動が行われる。
【００３３】
また、搬送トレイ３の両側の搬送トレイ３の搬送方向に沿って形成されたレール１１と本体フレーム２の両側部に断続的に複数形成した凸部１０とを遊嵌すると共に、レール１１の上方側に配置された本体フレーム２に形成した複数の支持部１６により、搬送トレイ３が本体フレーム２から外れることがないよう摺動自在に組み付けられている。
【００３４】
そして、駆動モータ１４の回転に伴って駆動伝達機構１５を介してピニオンギア１３が回転すると、ピニオンギア１３と噛合したラック１２が前方若しくは後方に移動することで、搬送トレイ３の本体フレーム２に対する搬入移動若しくは搬出移動が行われる。尚、駆動モータ１４を回転或いは停止するための構造や制御方法、本体フレーム２に搬送トレイを収納した記憶媒体収納位置に搬送トレイ３が搬入移動した後におけるディスクへのデータ等の記録或いは再生については、本発明に直接関係するものではないことからここでの詳細な説明については割愛する。
【００３５】
ところで、搬送トレイ３は、前述したように本体フレーム２に対して摺動可能に組み付けられているため、レール１１と凸部１０、及びレール１１と支持部１６との間には僅かな隙間Ｓが設けられていることから、ピニオンギア１３とラック１２とのギア間のバックラッシが前記搬送トレイ３の搬送時においてほぼ一定となるように、本体フレーム２と搬送トレイ３との隙間Ｓをほぼ一定にし、本体フレーム２に対する搬送トレイ３の位置が左右に横振れして変化しないように一定にする必要があることから、搬送トレイ３の両側のレール１１の内、レール１１の一方とこのレール１１に遊嵌する凸部１０との隙間Ｓを極力抑え、また、合成樹脂で成形された搬送トレイ３及び本体フレーム２の成形寸法の誤差を考慮して、前記隙間Ｓを極力抑えたレール１１と凸部１０との反対側に位置する他方のレール１１と凸部１０との隙間Ｓを、本体フレーム２に対して搬送トレイ３が取付け出来ない等の寸法誤差による不具合が生じないよう大きくする。また、搬送トレイ３の搬送時におけるこの搬送トレイ３の捩れなどの変形の要因を解消するため、そして、本体フレーム２に対する搬送トレイ３の取り付けが容易に行えるようにするために、２つのレール１１の内、搬送トレイ３の底面に形成したラック１２に近い方のレール１１と本体フレーム２の凸部１０との隙間Ｓを極力抑え、他方のレール１１と凸部１０との隙間を大きくしている。
【００３６】
また、本実施例における記録再生装置１では本体フレーム２の両側部の一方側には磁石２０を設けると共に、搬送トレイ３の底面には前記磁石２０との間で吸引力を発生させる磁性体２１を取り付けている。この磁性体２１は搬送トレイ３の移動方向とほぼ同方向に直線状に長い板状に形成し、より詳しくは、搬送トレイ３を上方から視た状態において、搬送トレイ３の奥行き方向と同じである搬送トレイ３の搬送方向に対して、傾斜した状態で取り付け、搬送トレイ３が記憶媒体収納位置にある時の磁性体２１と磁石２０との距離より、搬送トレイ３の搬出が完了した搬送トレイ３の停止位置としての記憶媒体交換位置における磁性体２１と磁石２０との距離を小さくする。なお、本実施例における磁性体２１は、搬送トレイ３の両側部のレール１１の内、よりラック１２から離れた一方のレール１１の近傍に取り付け、且つ、磁石２０は本体フレーム２に取り付けたピニオンギア１３から離れた一方のレール１１の近傍であって且つ搬送トレイ３の側部の前端側に設ける。
【００３７】
以上のように、本発明の一例における記録再生装置１は、記憶媒体収納位置から搬送移動する搬送トレイ３が記憶媒体交換位置への搬出完了時に、磁石２０と磁性体２１との間で発生する吸引力を最も増加させ、搬送トレイ３の横方向などへの振れを抑制することができるので、記録再生装置１の品質向上を実現することができる。
【００３８】
さらに、搬送トレイ３の前端側から後端側にかけて延設した磁性体２１を形成したので、搬送トレイ３が搬送されている時、磁石２０の近傍に磁性体２１の一部が配置されているので、磁石と磁性体２１との吸引力により、搬送トレイ３は常に本体フレーム２の一方側へと引き付けられた状態で搬送されるので、摺動可能に組み付けるために必要な隙間が搬送トレイ３と本体フレーム２との間に有していても、横振れやがたつくことなく安定した状態で搬送トレイ３を搬送することができる。
【００３９】
しかも、搬送トレイ３が記憶媒体交換位置への搬出を完了するときの吸引力が最大となるように、磁石２０と磁性体２１との距離を小さくしていることから、駆動モータ１４の逆転ブレーキやレール１１と凸部１０との間における隙間Ｓの影響を抑え、搬送トレイ３の横方向の振れを抑えることが可能となるので、記録再生装置１の品位向上が実現できる。
【００４０】
また、磁性体２１を搬送トレイ３の移動方向に長い形状とし、且つこの磁性体２１を搬送トレイ３の底面に取り付けることで磁性体２１を搬送トレイ３の補強部材としての機能も兼ね、合成樹脂からなる搬送トレイ３の強度の向上による搬送トレイ３の反りなどを抑えることが可能となり、その結果、搬送トレイ３の反りなどの変形による搬送トレイ３の搬送時の問題となる前述した隙間Ｓを一定にすることができなくなるといった要因を解消できる。
【００４１】
以上、本発明の一実施例について詳述したが、本発明は、前記実施例に限定されるものでなく、本発明の要旨の範囲内で種々の変形実施が可能である。例えば、前記実施例では、磁石２０を本体フレーム２に取り付け且つ磁石２０と吸引される磁性体２１を搬送トレイ３に取り付けた一例を示したが、これに限らず磁性体２１を本体フレーム２に取り付け且つ磁石２０を搬送トレイ３に取り付けるようにしてもよく、また、磁性体２１の代わりにシート状の磁石を貼着し、この貼着した磁石と本体フレーム２に取り付けた磁石２０とにより、搬送トレイ３を吸引するようにしてもよい。さらに、搬送トレイ３の底面であって搬送トレイ３の奥行き方向に形成された図示しない突状のガイドリブなどに、前記シート状の磁石を両面接着テープなどによって貼着するなど、種々の変形実施も可能である。また、前述した一例においては、搬送トレイ３の底面に取り付けた直線状の磁性体２１を前記搬送トレイ３の搬送方向と同じ方向である搬送トレイ３の奥行き方向に対して傾斜して取り付けていたが、磁性体２１の形状は直線状に限定するものではなく、記憶媒体交換位置で吸引力が最大になるのであれば、湾曲した形状であってもよい。
【図面の簡単な説明】
【００４２】
【図１】本発明の一例における搬送トレイを搬入した状態の記録再生装置を示す平面図である。
【図２】同上、搬送トレイを搬入した状態の記録再生装置を示す断面図である。
【図３】同上、搬送トレイを搬出した状態を示す記録再生装置の平面図である。
【図４】同上、搬送トレイを示す平面図である。
【図５】同上、搬送トレイを示す底面図である。
【図６】同上、図４における搬送トレイを側面から視た状態を示す側面図である。
【図７】同上、搬送トレイを示す正面側断面図である。
【図８】同上、本体フレームを示す平面図である。
【図９】従来から用いられている記録再生装置の平面図である。
【符号の説明】
【００４３】
１  記録再生装置
２  本体フレーム
３  搬送トレイ
２０  磁石
２１  磁性体
【図１】
2007207323.tif 000003
【図２】
2007207323.tif 000004
【図３】
2007207323.tif 000005
【図４】
2007207323.tif 000006
【図５】
2007207323.tif 000007
【図６】
2007207323.tif 000008
【図７】
2007207323.tif 000009
【図８】
2007207323.tif 000010
【図９】
2007207323.tif 000011